(57)【要約】【課題】本当に触ったり操作したい限られた部分のみ軽い摩擦力を作用させて、微妙な操作を正確に行えるようにした軽作業用手袋を提供する。【解決手段】薄手布地により作られ、複数本の指袋を有する手袋本体１と、手袋本体１の親指用指袋２の末節における掌側部と、人差指用指袋３の末節における掌側部にコーティングされた低摩擦性フィルム６とからなる。中指用指袋４の末節における掌側部にも低摩擦性フィルム６をコーティングしてもよい。低摩擦性フィルム６は、厚さ８０〜200μmのポリウレタン製のフィルムである。このフィルム６の表面の粘着性により、手袋の指先部分にのみ軽い摩擦力を付与できる。【選択図】図１
0003123394.tif 000002
【実用新案登録請求の範囲】
【請求項１】
薄手布地により作られ、複数本の指袋を有する手袋本体と、
該手袋本体の親指用指袋の末節における掌側部と、人差指用指袋の末節における掌側部にコーティングされた低摩擦性フィルムとからなる
ことを特徴とする軽作業用手袋。
【請求項２】
中指用指袋の末節における掌側部にもコーティングされた低摩擦性フィルムを有する
ことを特徴とする請求項１記載の軽作業用手袋。
【請求項３】
前記低摩擦性フィルムが、厚さ８０〜200μmのポリウレタン製のフィルムである
ことを特徴とする請求項１または２記載の軽作業用手袋。
【考案の詳細な説明】
【技術分野】
【０００１】
本考案は、軽作業用手袋に関する。さらに詳しくは、組み立て作業や検査作業、精密作業、運転作業、事務作業その他軽作業全般に適した軽作業用手袋に関する。
【背景技術】
【０００２】
従来から作業用手袋としては、重作業用、普通作業用、軽作業用と種々のものがある。
建設現場や鉄工所で使う重作業用は皮製や厚手の布に皮の補強をしたものが多く用いられている。普通作業用には、木綿製で番手の大きい糸を使った、いわゆる軍手が用いられている。この軍手は、木綿製だけであると滑りやすいため、掌側（手の平側）の全体にゴム製の滑り止めを点々状に貼付したものがある。この軍手に滑り止めゴムを施したものは、力を入れやすく普通作業には大変便利なのであるが、紙をめくったり小さなダイヤルを回すような微妙な作業を行う軽作業には向かない。なぜなら、軍手自体が厚くゴワゴワ感があって、手指を微妙に動かすことができないからである。
【０００３】
そこで、軽作業用の手袋が望まれるのであるが、いまだ微妙な作業を正確に行うことを目的とした手袋は出現していない。
少し使用目的は違うが、警察の鑑識業務や車掌業務、礼装用などに使用される手袋として、特許文献１の手袋がある。この従来例は、長期間に亘って滑り止め効果を発揮できるようにしたナイロン手袋であり、手袋本体の少なくとも手の平側の全面又は一部に、滑り止め機能を保有する素材をコーティングしたものである。また、コーティングする箇所については、手の平側の面の指の部分だけといった一部であってもよいが、外観を良くするためにも手の平全面であることが望ましい、というものである。
【０００４】
上記の従来例では、手の平全面に滑り止め機能を付与することを推奨しているが、このように手の平全面に摩擦力が生じるとかえって作業がしにくい場合がある。例えば、２〜３本の指先だけを使って枚葉紙を数えたり、各種機器の小さなダイヤルを操作したいようなとき、手の平側の滑り止め素材に別の物が少しでも触れると、摩擦力によって不用な物を動かしてしまったり、手の動作が妨げられたりして微妙さが要求される操作を邪魔してしまうことがある。また、手の平に滑り止め素材をコーティングしておくと、ゴワゴワ感が増し、手指を微妙に動かすことができず、この面からも微妙な操作を正確に行うことができなくなる。
【０００５】
【特許文献１】実用新案登録第３１０７５５６号
【考案の開示】
【考案が解決しようとする課題】
【０００６】
本考案は上記事情に鑑み、微妙な操作であっても正確に楽に行えるようにした軽作業用手袋を提供することを目的とする。
【課題を解決するための手段】
【０００７】
第１考案の軽作業用手袋は、薄手布地により作られ、複数本の指袋を有する手袋本体と、該手袋本体の親指用指袋の末節における掌側部と、人差指用指袋の末節における掌側部にコーティングされた低摩擦性フィルムとからなることを特徴とする。
第２考案の軽作業用手袋は、第１考案において、中指用指袋の末節における掌側部にもコーティングされた低摩擦性フィルムを有することを特徴とする。
第３考案の軽作業用手袋は、第１または第２考案において、前記低摩擦性フィルムが、厚さ８０〜200μmのポリウレタン製のフィルムであることを特徴とする。
【考案の効果】
【０００８】
第１考案によれば、手袋本体自体が薄手布地を使った柔らかいもので、指先を自由に動かすことができ、しかも軽作業時に良く使う部分である親指用指袋と人差指用指袋の指先のみに低摩擦性フィルムにより生じる軽い摩擦力を付与したので、作業中に滑りが生じない。このため、微妙な作業であっても、無理な力を入れることなくでき、正確にかつ迅速に作業ができるので、作業能率が大幅に向上する。
第２考案によれば、親指用指袋と人差指用指袋に加え、中指用指袋の指先にも低摩擦性フィルムで軽い摩擦力を付与したので、３本の指を使う軽作業を正確に能率よく行うことができる。
第３考案によれば、手袋本体自体が薄く手指を動かしやすいことに加え、コーティングされた低摩擦性フィルムの厚さが非常に薄いので手袋本体の柔軟性を高度に維持できる。このため、作業性が良好であって、かつ強すぎず弱すぎもしない適度な摩擦力を付与できるので、微妙な軽作業を正確かつ滑らかに実施することができる。
【考案を実施するための最良の形態】
【０００９】
つぎに、本考案の実施形態を図面に基づき説明する。
図１は本考案の一実施形態に係る軽作業用手袋の掌側の平面図である。図２は本考案の他の実施形態に係る軽作業用手袋の掌側の平面図である。図３は本考案の軽作業用手袋の使用説明図である。
【００１０】
まず、図１および図２に基づき、手袋本体１を説明する。
この手袋本体１は、５本指の指袋を有する通常の形態の手袋が代表的なものであるが、親指と人差指以外の指が一つの指袋に入るようになった変形タイプの手袋であってもよい。
【００１１】
本考案の目的は軽作業用であって、微妙な手指の動作を可能とするため、素材は薄手布地を使ったものが好ましい。本明細書において、薄手布地とは、木綿糸なら８０〜２０番手、ナイロン糸やポリエステル系なら３０〜５０デシテックスの糸で縫製した布地が該当し、手指を動かしやすくしたものをいう。また、材料には、綿や化学繊維、例えばナイロン繊維、ポリエステル繊維、ＰＥＴ再生繊維など任意のものを用いることができる。なお、手首の部分の形状や止め具の有無などは任意である。
【００１２】
つぎに、本考案の特徴部分を説明する。本考案の特徴は、軽作業によく使用する指先部分の指袋に低摩擦性フィルム６をコーティングした点にある。具体的には、親指用指袋２の末節部における掌側部と、人差指用指袋３の末節部における掌側部、または更に、中指用指袋４の末節部における掌側部である。
【００１３】
上記のように、指袋の指先部分に低摩擦性フィルム６が貼付される場合も、実際の軽作業時における指先の動きを考慮して、つぎの部位に貼付するのが最も好ましい。
（１）図１の実施形態
図１において、２は親指用指袋、２ａはその末節部を示し、３は人差指用指袋、３ａはその末節部を示している。なお、ｊ１〜ｊ３は人の指の関節に相当する部位を示している。
イ）親指用指袋２の貼付位置
親指用指袋２の末節部２ａにおける掌側部の全面から甲側に至る側面（つまり爪の際まで）に至る部分
ロ）人差指用指袋３の貼付位置
人差指用指袋３の末節部３ａにおける掌側部の中心部から甲側に至る側面（つまり爪の際まで）に至る部分
【００１４】
（２）図２の実施形態
図２において、４は中指用指袋、４ａはその末節部である。ｊ１〜ｊ３は人の指の関節に相当する部位を示している。
この実施形態では、親指用指袋２と人差指用指袋３に加え、中指用指袋４にも低摩擦性フィルム６を貼付している。
ハ）中指用指袋４の貼付位置
中指用指袋４の末節４ａにおける掌側部の全面
【００１５】
上記イ）,ロ）,ハ）の貼付位置は、図３に示すように紙を数えたりする軽作業時に、親指と人差指で、また中指を用いて、物をつかむときの接触面に対応している。
【００１６】
本考案における低摩擦性フィルム６は、ポリウレタン製フィルムが好ましい。このポリウレタン製フィルムは、熱可塑性を有し、接着剤を用いることなく熱をかけてプレスする方法で、布地に容易にコーティングすることができる。そして、ポリウレタン製フィルム６自体が表面に弱い粘着性があり、軽い摩擦力が生ずる。その利点を挙げると、以下のとおりである。
１．生布（ポリエステル、ナイロン、綿など）という接着性が良好である。
２．やわらかく、ストレッチ性があり、生布との伸びの相性もよく、フィット性が良い。
３．手指に対して違和感がなく、滑り止め効果が高い。
４．凹凸感がなく、平面で滑り止め効果が高く、デザイン性にも優れている。
【００１７】
上記ポリウレタン製フィルムは、厚さが８０〜200μmが好ましく、とくに100μm位が最適である。このように厚さが非常に薄いので、つぎの利点がある。
５．たいへん薄く指先の感度が良い。
６．立体性能が高いので、使用時に人の指先に沿って湾曲する部分であっても接着することができ、使用中に剥がれることもない。
７．手袋本体が特に薄い素材であっても、コーティング加工することができる
【００１８】
（剥離紙）
本考案の軽作業用手袋では、低摩擦性フィルムの貼付部６にゴミなどが付着しやすいので、販売時には、剥離紙を貼付しておいて、使用時に剥離紙を剥がして使用するとよい。
【００１９】
本考案の軽作業用手袋の利点を説明する前に、「ピクチャーアトラスシリーズ絵でみる人体大地図」（著者：ジュリアノ・フェルナリ  スティーブ・パーカー  1993年10月29日株式会社同朋舎出版発行）により、人の手のつまむ動作を説明しておくと、つぎのようである。
図４に示した３種類のつかみ方は人間の手がいかに自由度が高いかを表わしている。
（Ａ）まず親指と人差指を使った、正確かつ巧妙なつかみ方がある。他の動物は、人間に近い親類のチンパンジーやゴリラでさえ、このようなつかみ方はできない。人は親指を傾けて、他のどの指とも向かい合わせにすることもできる。
（Ｂ）次に指と手のひらで囲むように球をつかむ、安定したつかみ方がある。
（Ｃ）また両手を使って力一杯つかむと、全体重を支える力を発揮することもできる。
【００２０】
本考案の軽作業用手袋は、手袋本体が薄手であることに加え、摩擦力を発揮する部分は指先のみであるので、手の平部分はもとより、他の指袋部分も自由な動きが可能である。これに加え、フィルムの厚さが非常に薄いので手袋本体の柔軟性を高度に維持できる。そして、強すぎず弱すぎもしない適度な摩擦力を付与できるので、作業性が非常に高い。
以上の特徴を踏まえて、前記（Ａ）〜（Ｃ）の物のつかみ方における本考案の軽作業用手袋の利点を説明すると、つぎのとおりである。
（Ａ）のような小さな物をつまむ動作は安定性に欠けるのであるが、本考案の手袋を使うと親指と人差指が摩擦によって物をつかみやすくなるので、本来の不安定さを補って、非常に安定した動作が可能になる。このため、種々の軽作業の能率を高めることができる。
（Ｂ）のように手の平を使ったとしても、本考案の軽作業用手袋なら指先に力を入れることもできるので、例えば、大きさの割に重いものや、滑りやすいものであっても楽に扱える。
（Ｃ）のように、力を入れるつかみには、本考案の軽作業用手袋は適さないが、棒状の物体を軽くつかむときは、本考案の軽作業用手袋であると、やはり摩擦力が働いてしっかりとつかむことができる。
【産業上の利用可能性】
【００２１】
本考案の手袋は軽作業用であるが、とくに精密作業、運転作業、ピンセットやドライバーなどの器具を使った作業などに適している。
【図面の簡単な説明】
【００２２】
【図１】本考案の一実施形態に係る軽作業用手袋の掌側の平面図である。
【図２】本考案の他の実施形態に係る軽作業用手袋の掌側の平面図である。
【図３】本考案の軽作業用手袋の使用説明図である。
【図４】手のつまむ動作の説明図である。
【符号の説明】
【００２３】
１  手袋本体
２  親指用指袋
３  人差指用指袋
４  中指用指袋
６  低摩擦性フィルム
【図１】
0003123394.tif 000003
【図２】
0003123394.tif 000004
【図３】
0003123394.tif 000005
【図４】
0003123394.tif 000006